(57)【要約】【課題】  本発明は、トレーニング装置に関し、特に開脚運動と歩行運動、及びボート漕ぎ運動の機能を備えたトレーニング装置の提供を目的とするものである。【解決手段】  円筒の中心軸を回転軸とした滑車体の複数本を、該滑車体の回転軸を片持ち又は両持ちで枠体に回動自在に所定間隔で列設した滑車体列と、該滑車体列の周囲に無端帯を卷架した無端帯枠体と、無端帯枠体の二組を互いの前記回転軸の軸心同士のなす角度を任意の角度に選択して固定するための固定部材により、無端帯枠体を基台の左側と右側に軸支したことと、基台の上面で倒伏した状態から倒立可能な支柱と、支柱に内設した伸張部材と、伸張部材の上端部にハンドルを載設して、ハンドルを該支柱の長手方向に張縮自在の機構に設けたことを特徴とするトレーニング装置。【選択図】  図１
2017093777.tif 000002
【特許請求の範囲】
【請求項１】
円筒の中心軸を回転軸とした滑車体の複数本を、該滑車体の回転軸を片持ち又は両持ちで枠体に回動自在に所定間隔で列設した滑車体列と、該滑車体列の周囲に無端帯を卷架した無端帯枠体と、該無端帯枠体の二組を互いの前記回転軸が向かい合うように設置して前記滑車体の回転軸の軸心同士のなす角度を任意の角度に選択して固定するための固定部材により、該無端帯枠体を基台に軸支したことを特徴とするトレーニング装置。
【請求項２】
前記基台の上面で倒伏した状態から倒立可能な支柱であって、該支柱に内設した伸縮部材の上端部にハンドルを載設することで、該ハンドルを前記支柱の長手方向に張縮自在としたことを特徴とする請求項１記載のトレーニング装置。
【発明の詳細な説明】
【技術分野】
【０００１】
本発明は、トレーニング装置に関し、特に開脚運動と歩行運動、及びボート漕ぎ運動の
機能を備えたトレーニング装置に関する。
【背景技術】
【０００２】
従来のスライド式開脚運動具は、複数のウエイトを加減自在に取り付けた足乗せ台と、
足乗せ台をスライド自在に載置したレールの二組を基台の左側と右側にそれぞれ長手方向に取り付けたスライド式開脚運動具が開示されている（例えば、特許文献１参照）。
【０００３】
複数個の滑車体を所定間隔で、滑車体の回転軸を基台に回動自在に取り付けた滑車体列
と、滑車体列の周囲に無端帯を卷架した歩行面と、基台に立設した支柱と、支柱に内設した伸縮部材の上端部にハンドルを載設することで、ハンドルを支柱の長手方向に引縮自在に設けた運動具が開示されている。（例えば、特許文献２参照）。
【０００４】
複数個の滑車体を所定間隔で、滑車体の回転軸を片持ちあるいは両持ちでフレームに回
動自在に取り付けた滑車体列と、滑車体列の周囲に無端帯を卷架したものの二組を互いの軸心同士が向かい合うように設置して、無端帯の上面をそれぞれ独立した歩行面とする歩行訓練、矯正装置が開示されている（例えば、特許文献３参照）。  
【０００５】
従来のスライド式開脚運動具は、足乗せ台をスライド自在に載置したレールの二組を基
台の左側と右側にそれぞれ長手方向に取り付けたもので、使用者は左側と右側の足乗せ台にそれぞれの足を乗せて、開脚運動を成す機構に設けたスライド式開脚運動具が開示されている。（図２３は従来の技術の一例を示すものである）。
【先行技術文献】
【特許文献】
【０００６】
【特許文献１】特開２０１０−０６３８８８号公報
【特許文献２】実開昭５５−００８５１０号公報
【特許文献３】特許第３１１５２４１号公報
【発明の概要】
【発明が解決しようとする課題】
【０００７】
特許文献１のスライド式開脚運道具は、足乗せ台に複数のウエイトを加減自在に取り付
けることで、開脚運動を実行する際において適度な負荷圧を体感できる、しかしながら、閉脚においては負荷圧を体感できない、また、このスライド式開脚運道具を折りたたみ保管する際において、ウエイトが邪魔になるという問題がある。                                                                    
【０００８】
特許文献２の運道具は、ハンドルを引張する際に生じる伸張部材の張縮力と、歩行運動
において負荷圧を体感できる機構に設けたものである、しかしながら、歩行運動において、左足、もしくは右足の何れかが歩行面から離れることは否定できない、従って、この運動具はハンドルの引張と張縮をしながら歩行運動を実行することは、使用者の体勢が不安定になるという問題がある。
【０００９】
特許文献３の歩行訓練、矯正装置は、歩行面を構成する左側と右側のフレームの二組が、それぞれ歩行進行方向に並列置したもので、この二組のフレームを長手方向に転向しようと試みても、フレームの一端部と一端部が接触し合い、フレームの互いを長手方向に転向することができない、従って、この装置は開脚運動に適するものでは無いという問題がある。
【００１０】
図２３に示した従来の技術のスライド式開脚運動具は、レールの基端部と足乗せ台の一
端部に弾性体を張架したもので、開脚運動においては負荷圧を体感できるが、閉脚においては何等の負荷圧を体感できない、また、このスライド式開脚運動具は、開脚運動専用の機構に設けたもので、開脚運動以外の運動を実行できないという問題がある。
【００１１】
また、前述したスライド式開脚運動具に対して、開脚と閉脚の往復運動に負荷圧を得る
ために、前記レールの基端部と前記足乗せ台の一端部、さらにレールの先端部と足乗せ台の一端部に、それぞれ前記弾性体を張架した場合を考察すると、足乗せ台は前記レールの基端側と、前記レールの先端側の中間位置に該足乗せ台が係止される、従って、この手段は足乗せ台の運動範囲が半減されるという問題が生じる。
【００１２】
また、従来のスライド式開脚運道具は、身体の安定姿勢を保守するためにハンドルを立
設している、しかしながら、このようなハンドルは、何等の運動機能も有する機構ではないという問題がある。
【００１３】
そこで、本発明は、前記した問題を解決して、開脚と閉脚の往復運動に負荷圧を得ることと、開脚運動と歩行運動、及びボート漕ぎ運動の機能を備えたトレーニング装置を提供することを課題とする。
【課題を解決するための手段】
【００１４】
上記課題を解決するために、本発明の一つの特徴に従ったトレーニング装置は、円筒の中心軸を回転軸とした滑車体の複数本を、滑車体の回転軸を片持ち又は両持ちで枠体に回動自在に所定間隔で列設した滑車体列と、滑車体列の周囲に無端帯を卷架した無端帯枠体と、無端帯枠体の二組を互いの回転軸が向かい合うように設置して回転軸の軸心同士のなす角度を任意の角度に選択して固定するための固定部材により、無端帯枠体を基台に軸支したものである。
【００１５】
本発明の他の特徴に従ったトレーニング装置は、上記基台の上面で倒伏した状態から倒立可能な支柱であって、支柱に内設した伸縮部材の上端部にハンドルを載設することで、ハンドルを支柱の長手方向に引縮自在に設けたものである。
【発明の効果】
【００１６】
以上記述したように本発明のトレーニング装置は、前記無端帯の有する特性によって、
開脚と閉脚及び歩行運動の何れにも負荷圧を体感できる。
【００１７】
前記トレーニング装置のハンドルは、伸縮部材を引張する際に生じる縮退力を活用した
もので、ハンドルの引張運動を反復することで、大腰筋、腹筋、背筋、僧帽筋、上腕筋、等々を鍛錬できる。
【００１８】
前記トレーニング装置の無端帯枠体は、転向部材に軸支して転向自在に設けたもので、
無端帯枠体の枠端側を任意の高さに持ち上げ、無端帯枠体のそれぞれを長手方向、または
使用者側方向の任意の角度に転向して、基台に設けた固定部材に無端帯枠体を固定できる構成に設けている。
【００１９】
前記トレーニング装置は、基台の左側と右側に軸支した無端帯枠体の枠端側を長手方向
に転向した状態において、使用者は左側の歩行面に左足、右側の歩行面に右足を乗せて、開脚運動をしながらハンドルの引張運動を実行できる。
【００２０】
前記トレーニング装置は、基台の左側と右側に軸支した無端帯枠体の枠端側を使用者側
方向に転向し、さらに無端帯枠体の枠端側を任意の角度に展開した状態において、使用者は左側の歩行面に左足、右側の歩行面に右足を乗せて、斜め後方を蹴るようにスケーティング運動を実行できる。
【００２１】
前記トレーニング装置は、基台の左側と右側に軸支した無端帯枠体の互いを、使用者側
方向に転向した状態において、使用者は左側の歩行面に左足、右側の歩行面に右足を乗せて、歩行運動、または摺足運動を実行できる。
【００２２】
前記トレーニング装置は、基台の左側と右側に軸支した無端帯枠体の互いを、使用者側
方向に転向した状態において、歩行面の二組に座板を掛け渡す、そして使用者は座板に着座する、次にステップ台に両足を掛ける、そして、ハンドルを握持してボート漕ぎ運動を実行できる。
【００２３】
以上詳述したように、本発明の特徴とする多様な運動手段によって、骨盤低筋、大腰筋、腹筋、背筋、僧帽筋、上腕筋等が効果的に鍛錬できる、また、体重、体脂肪、腰痛、尿漏れも改善できる。
【図面の簡単な説明】
【００２４】
【図１】本発明に係るトレーニング装置の第一使用例を示す斜視図。
【図２】本発明に係るトレーニング装置の第二使用例を示す斜視図。
【図３】本発明に係るトレーニング装置の第二使用例を示す斜視図。
【図４】本発明に係るトレーニング装置の第三使用例を示す斜視図。
【図５】本発明に係るトレーニング装置の第四使用例を示す斜視図。
【図６】本発明に係るトレーニング装置の第五使用例を示す斜視図。
【図７】本発明に係るトレーニング装置を示す切欠き平面図。
【図８】本発明に係るトレーニング装置を示す切欠き平面図。
【図９】本発明に係るトレーニング装置を示す切欠き平面図。
【図１０】本発明に係るトレーニング装置の無端帯枠体を示す切欠き背面図。
【図１１】本発明に係るトレーニング装置の無端帯枠体の無端帯を取り外した状態を            示す切欠き背面図。
【図１２】本発明に係るトレーニング装置の滑車体列を示す切欠き拡大斜視図。
【図１３】本発明に係るトレーニング装置の固定部材を示す拡大斜視図。
【図１４】本発明に係るトレーニング装置の基台及び転向基軸雌ネジと、ハンドル支柱及びステップバーを示す切欠き拡大図。
【図１５】本発明に係るトレーニング装置の基台と、ハンドル支柱及びステップバーと、固定部材及び転向部材を示す切欠き拡大図。
【図１６】本発明に係るトレーニング装置の基台と、ハンドル支柱及びステップバーと、固定部材及び転向部材を示す切欠き拡大図。
【図１７】本発明に係るトレーニング装置の基台と、ハンドル支柱及びステップバーと、固定部材及び転向部材を示す切欠き拡大図。
【図１８】本発明に係るトレーニング装置の転向部材を示す拡大斜視図。
【図１９】本発明に係るトレーニング装置のハンドルを示す切欠き斜視図。
【図２０】本発明に係るトレーニング装置のハンドルを示す切欠き斜視図。
【図２１】本発明に係るトレーニング装置のハンドルを示す切欠き斜視図。
【図２２】本発明に係るトレーニング装置の座板の一例を示す拡大斜視図。
【図２３】従来のスライド式開脚運動具の一例を示す斜視図。
【発明を実施するための形態】
【００２５】
以下、本発明の実施の形態を図に基づいて説明する。
本発明のトレーニング装置は、複数本の滑車体１０を所定間隔で、滑車体の回転軸１０Ｂを片持ち又は両持ちで枠体６Ｂに回動自在に列設した滑車体列１０Ａと、滑車体列１０Ａの周囲に無端帯９を卷架した無端帯枠体１２を設けている。（図７〜図１２参照）。
【００２６】
無端帯枠体１２の二組を互いの滑車体の回転軸１０Ｂが向かい合うように設置して、滑車体の回転軸１０Ｂの軸心同士のなす角度を任意の角度に選択して基台１４に固定するための固定部材１６の二組を基台１４に設けている。（図１５〜図１７参照）。
【００２７】
無端帯枠体１２の二組を長手方向にも使用者側方向にも、任意の角度に転向するために二組の転向部材１１を設けている。（図１５〜図１８参照）。
【００２８】
転向部材１１は枠体６Ｂに設けた支軸孔１３に貫入して回動自在に設け、無端帯枠体１２の基端側を持ち上げながら無端帯枠体１２を任意の角度に転向できる、また転向部材１１は転向軸部１１Ｃを設けている。（図１８参照）。
【００２９】
任意の角度に転向する無端帯枠体１２を個定部材１６に固定するために、枠体６Ｂの背面側に一対の固定軸８を設けている。（図１０、図１１参照）。
【００３０】
固定部材１６は枠体６Ｂに設けた固定軸８を嵌入するための複数個の挿入孔１７を備えており、基台１４に加工された転向基軸雌ネジ１５（図１４参照）と合致する位置に転向基軸孔１７Ｆを設けている。（図１３参照）。
【００３１】
無端帯枠体１２を長手方向にも使用者側方向にも、任意の角度に転向するための転向部材１１を固定部材１６の転向基軸孔１７Ｆと共に転向基軸雌ネジ１５（図示をしていない）に貫入している。（図１５〜図１７参照）。
【００３２】
基台１４は上面にハンドル支柱受け部３と、二組の転向基軸雌ネジ１５を設けている。（図１４参照）。
【００３３】
ハンドル支柱受け部３はボート漕ぎ運動を実行するために、左右の足を掛けるステップバー４の一対を設けている。(図１４〜図１７参照)
【００３４】
ハンドル１は基端部に支柱軸孔２Ｂを設けている。(図１９〜図２１参照)
【００３５】
ハンドル１の支柱軸孔２Ｂにステップバー４の支軸（図示をしていない）を貫入して、使用者側方向に対してハンドル１を倒伏自在に設けている。（図２〜図３参照）。
【００３６】
ハンドルは、ハンドル１を構成する支柱２に内設した伸縮部材５(伸縮部材の一例)と、伸縮部材５にハンドル１を載設したもので、ハンドル１を引張する際に生じる引張負荷を活用する構成に設けている。（図１９〜図２１参照）。
【実施例】
【００３７】
本発明のトレーニング装置の第一使用例を説明する。
図１の示すように、無端帯枠体１２のそれぞれを長手方向に転向した状態において、使用者は左側と右側の無端帯９に左右の足を乗せて、ハンドル１を握持する、そしてハンドル１の引張縮退をしながら開閉脚運動を実行できる。
【００３８】
本発明のトレーニング装置の第二使用例を説明する。
図２、図３の示すように、無端帯枠体１２の枠端側を使用者側方向にして、無端帯９を並列に転向した状態において、使用者は左側と右側の無端帯９に掛け渡した座板１８に着座する、そしてステップバー４に両足を掛けると共に両手でハンドル１を握持する、そしてボ−ト漕ぎ運動を実行できる。    
【００３９】
本発明のトレーニング装置の第三使用例を説明する。
図４の示すように、無端帯枠体１２のそれぞれを長手方向に転向した状態において、使用者は左側と右側の無端帯９に左右の足を乗せて、開脚運動を実行できる。
【００４０】
本発明のトレーニング装置の第四使用例を説明する。
図５の示すように、無端帯枠体１２の枠端側を使用者側方向にして、それぞれ任意の角度に展開した状態において、使用者は左側と右側の無端帯９に左右の足を乗せて、斜め後方を蹴るようにスケーティング運動を実行できる。
【００４１】
本発明のトレーニング装置の第五使用例を説明する。
図６の示すように、無端帯枠体１２の枠端側を使用者側方向に転向した状態において、使用者は左側と右側の無端帯９に左右の足を乗せて、歩行運動、もしくは摺足運動を実行できる。
【符号の説明】
【００４２】
１    ハンドル
２    支柱
２Ｂ  支柱軸孔
３    ハンドル支柱受け部
４    ステップバー
５    伸縮部材
６Ｂ  枠体
７    枠台
８    固定軸
９    無端帯
10    滑車体
10Ａ  滑車体列
10Ｂ  滑車体の回転軸
11    転向部材
11Ｃ  転向軸部
12    無端帯枠体
・  支軸孔
14    基台
15    転向基軸雌ネジ
16    固定部材
17    挿入孔
17Ｆ  転向基軸孔
18    座板
19    弾性体
20    足乗せ台
21    レール
【図１】
2017093777.tif 000003
【図２】
2017093777.tif 000004
【図３】
2017093777.tif 000005
【図４】
2017093777.tif 000006
【図５】
2017093777.tif 000007
【図６】
2017093777.tif 000008
【図７】
2017093777.tif 000009
【図８】
2017093777.tif 000010
【図９】
2017093777.tif 000011
【図１０】
2017093777.tif 000012
【図１１】
2017093777.tif 000013
【図１２】
2017093777.tif 000014
【図１３】
2017093777.tif 000015
【図１４】
2017093777.tif 000016
【図１５】
2017093777.tif 000017
【図１６】
2017093777.tif 000018
【図１７】
2017093777.tif 000019
【図１８】
2017093777.tif 000020
【図１９】
2017093777.tif 000021
【図２０】
2017093777.tif 000022
【図２１】
2017093777.tif 000023
【図２２】
2017093777.tif 000024
【図２３】
2017093777.tif 000025
【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
複数本の円筒形の滑車体１０を所定間隔で列設した滑車体列１０Ａの外側に周動可能とした無端帯９を卷架して設けた二つの無端帯枠体１２を左右横一列に配設した開脚運動トレーニング装置に於いて、横一列に配設した二つの該無端帯枠体１２の向かい合う側の端部に転向軸部１１Ｃを設け、該転向軸部１１Ｃを挿入する転向基軸孔１７Ｆを基台１４の上面側に配設し、二つの該無端帯枠体１２を該転向軸部１１Ｃを中心に角度変更を可能とした事を特徴とするトレーニング装置。
【請求項２】
前記無端帯枠体１２を固定するための固定部材１６に複数個の挿入孔１７と該固定部材１６の中心部に転向基軸孔１７Ｆを設けた二つの該個定部材１６を前記基台１４の上面側に配設し、該転向基軸孔１７Ｆに転向部材１１の一端部である前記転向軸部１１Ｃを挿入して該無端帯枠体１２を該転向軸部１１Ｃを中心に角度変更を可能とすると共に該無端帯枠体１２の底面側に設けた固定軸８を該固定部材１６の該挿入孔１７に挿入して該無端帯枠体１２を該固定部材１６に所定の角度に固定出来るようにした事を特徴とする請求項１に記載のトレーニング装置。
【請求項３】
前記基台１４の上面に配設した支柱２に内設した伸縮部材５の上端部にハンドル１を載設し、該支柱２の長手方向に該ハンドル１を引張する事により、該伸縮部材５の張縮力による引張負荷を得る機構とした事を特徴とする請求項１に記載のトレーニング装置。
【請求項４】
前記支柱２を倒立した状態から使用者側に倒伏可能とする事と、該支柱２の左側と右側に足を掛けるステップバー４を付設した事により、前記二つの該無端帯枠体１２の向き合う角度が互いに平行になるように使用者側に９０゜角度変更し、固定した状態で、二つの無端帯９に座板１８を掛け渡して着座する、そして該ステップバー４に足を掛けると共に該支柱２の長手方向に前記ハンドル１を引張する事により、開脚運動以外のボート漕ぎ運動を可能とする事を特徴とする請求項１あるいは請求項３に記載のトレーニング装置。
【手続補正２】
【補正対象書類名】明細書
【補正対象項目名】００１４
【補正方法】変更
【補正の内容】
【００１４】
上記課題を解決するために、本発明の一つの特徴に従ったトレーニング装置は、複数本の円筒形の滑車体１０を所定間隔で列設した滑車体列１０Ａの外側に周動可能とした無端帯９を卷架して設けた二つの無端帯枠体１２を左右横一列に配設した開脚運動トレーニング装置であって、更に横一列に配設した二つの該無端帯枠体１２の向かい合う側の端部に転向軸部１１Ｃを設け、該転向軸部１１Ｃを挿入する前記転向基軸孔１７Ｆを基台１４の上面側に配設し、二つの該無端帯枠体１２を該転向軸部１１Ｃを中心に角度変更を可能とした事を特徴とするトレーニング装置である。
【手続補正３】
【補正対象書類名】明細書
【補正対象項目名】００１５
【補正方法】変更
【補正の内容】
【００１５】
本発明の他の特徴に従ったトレーニング装置は、前記無端帯枠体１２を固定するための固定部材１６に複数個の挿入孔１７と該固定部材１６の中心部に転向基軸孔１７Ｆを設けた二つの該個定部材１６を前記基台１４の上面側に配設し、該転向基軸孔１７Ｆに転向部材１１の一端部である前記転向軸部１１Ｃを挿入して該無端帯枠体１２を該転向軸部１１Ｃを中心に角度変更を可能とすると共に該無端帯枠体１２の底面側に設けた固定軸８を該固定部材１６の該挿入孔１７に挿入して該無端帯枠体１２を該固定部材１６に所定の角度に固定出来るようにした事を特徴とする。  更に本発明の一つの特徴に従ったトレーニング装置は、前記基台１４の上面に配設した前記支柱２に内設した伸縮部材５の上端部にハンドル１を載設し、該支柱２の長手方向に該ハンドル１を引張する事により、該伸縮部材５の張縮力による引張負荷を得る機構とした事を特徴としている。
【手続補正４】
【補正対象書類名】明細書
【補正対象項目名】００２５
【補正方法】変更
【補正の内容】
【００２５】
以下、本発明の実地の形態を図に基づいて説明する。
本発明のトレーニング装置は、複数本の円筒形の滑車体１０を所定間隔で列設した滑車体列１０Ａの外側に周動可能とした無端帯９を卷架して設けた二つの無端帯枠体１２を左右横一列に配設し、更に横一列に配設した二つの該無端帯枠体１２の向かい合う側の端部に転向軸部１１Ｃを設け、該転向軸部１１Ｃを挿入する転向基軸孔１７Ｆを基台１４の上面側に配設し、二つの該無端帯枠体１２を該転向軸部１１Ｃを中心に角度変更を可能とした事を特徴としている。（図７〜図１２参照）。
【手続補正５】
【補正対象書類名】明細書
【補正対象項目名】００２６
【補正方法】変更
【補正の内容】
【００２６】
前記無端帯枠体１２を固定するための固定部材１６に複数個の挿入孔１７と該固定部材１６の中心部に転向基軸孔１７Ｆを設けた二つの該個定部材１６を前記基台１４の上面側に配設し、該転向基軸孔１７Ｆに転向部材１１の一端部である前記転向軸部１１Ｃを挿入して該無端帯枠体１２を該転向軸部１１Ｃを中心に角度変更を可能としている。
【手続補正６】
【補正対象書類名】明細書
【補正対象項目名】００２７
【補正方法】変更
【補正の内容】
【００２７】
更に該無端帯枠体１２の底面側に設けた固定軸８を該個定部材１６の該挿入孔１７」に挿入して該無端帯枠体１２を該個定部材１６に所定の角度に固定出来るようにした（図１５、図１８参照）。
【手続補正７】
【補正対象書類名】明細書
【補正対象項目名】００２８
【補正方法】変更
【補正の内容】
【００２８】
転向部材１１は枠体６Ｂに設けた支軸孔１３に貫入した回動自在に設け、該無端帯枠体１２の枠端側を持ち上げながら該無端帯枠体１２を任意の角度に転向出来る、また転向部材１１は転向軸部１１Ｃを設けている。（図１８参照）。      
【手続補正８】
【補正対象書類名】明細書
【補正対象項目名】００２９
【補正方法】変更
【補正の内容】
【００２９】
前記無端帯枠体１２の向かい合う側の端部の背面側に加工された支軸孔１３に転向部材１１を挿入し、更に変更後の角度に固定出来るように枠体６Ｂの底面側に固定軸８を設けている。（図１０、図１１参照）。
【手続補正９】
【補正対象書類名】明細書
【補正対象項目名】００３０
【補正方法】変更
【補正の内容】
【００３０】
前記基台１４に前記個定部材１６を配設手段の一例として、基台１４に加工された転向基軸ネジ１５（図１４参照）と該転向基軸孔１７Ｆの裏面側に形成した中空の雄ネジ（該個定部材１６の裏面は図示をしていない）を形成した前記個定部材１６とを螺合し、該基台１４に該個定部材１６を配設している。（該固定部材１６の裏面は図示をしていない）。
【手続補正１０】
【補正対象書類名】明細書
【補正対象項目名】００３４
【補正方法】変更
【補正の内容】
【００３４】
前記支柱２は基端部に支柱軸孔２Ｂを設けている。（図１９〜図２１参照）。